(57)【要約】【課題】周辺に間接照明を照らすディスプレイ装置を提供する。【解決手段】可視光線を発生させて画像を表示するディスプレイパネルと、ディスプレイパネルを支持し、開口部が形成されたケースと、ケースの内側面に配置され、ディスプレイパネルから発生した可視光線の一部をケース外部に反射させる反射手段とを含むディスプレイ装置である。これにより、追加の照明手段や駆動部を備える必要がなく、消費電力が抑えられ、画面の外郭周辺部分の光と類似した色相の光をディスプレイ装置の周辺に照らすことにより、ユーザの目の疲労を和らげて快適に映像を視聴できるようにする。【選択図】図２
2006259667.tif 000002
【特許請求の範囲】
【請求項１】
可視光線を発生させて画像を表示するディスプレイパネルと、
前記ディスプレイパネルを支持し、前面開口部が形成されたケースと、
前記ケースの内側面に配置され、前記ディスプレイパネルから発生した可視光線の一部をケース外部に反射させる反射手段とを備えるディスプレイ装置。
【請求項２】
前記ケースには、前記反射手段により反射された可視光線をケース外部に通す間接照明用開口部が形成されたことを特徴とする請求項１に記載のディスプレイ装置。
【請求項３】
前記反射手段は、前記ケースの四辺に配置されたことを特徴とする請求項１に記載のディスプレイ装置。
【請求項４】
前記反射手段は、一つ以上の反射体の組み合わせから形成されたことを特徴とする請求項１に記載のディスプレイ装置。
【請求項５】
前記ディスプレイパネルの表示領域の周囲に設けられ、表示領域の最外郭部分と同じ信号を受信し、同じ可視光線を発生させる間接照明用発光セルをさらに備えることを特徴とする請求項１に記載のディスプレイ装置。
【請求項６】
前記ディスプレイパネルは、プラズマディスプレイパネルであることを特徴とする請求項１に記載のディスプレイ装置。
【発明の詳細な説明】
【技術分野】
【０００１】
本発明は、ディスプレイ装置に係り、さらに詳細にはディスプレイ装置の周辺に間接照明を照らし、ユーザの目の疲労感を和らげ、快適に視聴できるようにするディスプレイ装置に関する。
【背景技術】
【０００２】
図３は、従来のディスプレイ装置の一例の正面図を示している。
【０００３】
図３に示すように、ディスプレイ装置１０は、画像を表示するディスプレイパネル５０と、ユーザが前方から画像を見ることができるように開口部が形成されており、前記ディスプレイパネル５０を保護するケース１７とを含む。前記開口部を介し、前記ディスプレイパネル５０から発生する可視光線が前方に向けて出てくることにより、ユーザは、ディスプレイパネル５０が表示する画像を視覚的に認識できる。
【０００４】
一方、最近ディスプレイ装置を使用するユーザの目の疲労を和らげて快適に像を視聴できるようにする技術が開発された。すなわち、画面の外郭周辺に照らされる光を感知し、ディスプレイ装置の周辺にそれと同一であるか、または類似の色調の光を照らす技術であるが、この技術では、画面の外郭の周辺部分で赤色、青色、緑色などの画面色調を自動的に感知し、それと同一か、または類似の照明をディスプレイ装置が設置されたところの左右側方の壁面に向けて自動的に投射する。
【０００５】
例えば、画面が青い海浜や空を映せば青色照明を、黄色い落葉が風に舞う風景を映せば黄色照明を、赤い溶岩が噴出する火山を映せば赤色照明を周辺環境の明るさに合わせて演出する。
【０００６】
このようなディスプレイ装置周辺の間接照明は、ディスプレイ装置の画像を視聴するユーザの目の紅彩絞り作用による疲労感を和らげる機能があると知られている。ディスプレイ装置の背面に照らし出される間接照明は、画面が投射する光の強度を緩和させて紅彩の運動を減少させ、さらには快適な視聴を可能にするという。
【０００７】
従来は、このような機能を実現するためには、追加の照明手段と、これを駆動する追加の駆動手段とを含む、ディスプレイ装置の外部に突出されて配置される間接照明部１１が必要であった。前記照明手段は、赤色、緑色、青色の光の三原色を表示できなければならず、前記駆動手段は、前記照明手段がどのような輝度と彩度とを有する光を照らすかを決定し、これに合う信号を前記照明手段に送らなければならない。特に、前記駆動部は、画像が表示される画面のうち、壁面に近く位置する外郭周辺部分の画像の光の彩度と輝度とを認識し、認識された光の彩度と輝度とから照明手段は、どのような輝度と彩度の光を照らすか決定し、さらにこれを照明手段に信号で伝達する機能を備えていなければならない。
【０００８】
従って、追加の照明手段及び駆動部を必要とするだけでなく、駆動部が既存のディスプレイパネルの駆動部と適切に連動しなければならないため、その設計及び製作工程が非常に困難であるという短所がある。また、照明手段が別途必要であるために、ディスプレイ装置全体の消費電力が増加してしまうという問題点がある。
【発明の開示】
【発明が解決しようとする課題】
【０００９】
本発明は、前記した問題点を解決するためになされたものであり、その目的とするところは、追加の照明手段や駆動部を備える必要がなく、それにより消費電力が抑えられ、かつ画面の外郭周辺部分の光と類似した色相の光をディスプレイ装置の周辺に照らすことにより、ユーザの目の疲労を和らげて快適に映像を視聴できるようにするディスプレイ装置を提供することである。
【課題を解決するための手段】
【００１０】
上記目的を達成するために、本発明の特徴は、可視光線を発生させて画像を表示するディスプレイパネルと、前記ディスプレイパネルを支持し、前面開口部が形成されたケースと、前記ケースの内側面に配置され、前記ディスプレイパネルから発生した可視光線の一部をケース外部に反射させる反射手段とを含むディスプレイ装置であることを要旨とする。
【００１１】
ここで、前記ケースには、前記反射手段により反射された可視光線をケース外部に通す開口部が形成されていることが望ましい。
【００１２】
ここで、前記反射手段は、前記ケースの四辺に配置されていることが好ましい。
【００１３】
ここで、前記反射手段は、一つ以上の反射体の組み合わせから形成されていることが好ましい。
【００１４】
ここで、前記ディスプレイパネルは、プラズマディスプレイパネル（ＰＤＰ）の場合にさらに効果が大きい。
【発明の効果】
【００１５】
本発明によれば、ディスプレイ装置の側面から照らし出される間接照明が、画面が投射する光の強度を緩和させ、ユーザの目の紅彩運動を減少させて快適な視聴を可能にする。
【００１６】
また、反射手段により光を反射する構成を有するので、追加の照明手段が必要なく、ディスプレイパネル上に表示された画像を認識して、その画像に応じた信号を照明手段に送る駆動手段の構成も別途必要ない。これにより、消費電力を増加させずにユーザの快適な視聴を可能とする。
【発明を実施するための最良の形態】
【００１７】
次に、図面を参照して、本発明の実施の形態を説明する。以下の図面の記載において、同一又は類似の部分には同一又は類似の符号を付している。
【００１８】
図１は、本発明によるディスプレイ装置の正面図であり、図２は、図１のＩＩ−ＩＩ線に沿って切り取った断面図である。
【００１９】
図１及び図２に示されているように、本発明によるディスプレイ装置１００は、ディスプレイモジュール、前面ケース７０及び背面ケース７５を含む。
【００２０】
前記ディスプレイモジュールは、ディスプレイパネル５０、ディスプレイパネル５０を駆動する駆動回路基板４０、ディスプレイパネル５０と駆動回路基板４０とを支持するシャーシを含む。ディスプレイパネル５０は、薄くて画質が優秀なＰＤＰであることが好ましい。
【００２１】
前面ケース７０は、前記ディスプレイモジュールの前面に配置され、ディスプレイモジュールの前方に向かう可視光線が通過する前面開口部が形成されており、ベーゼル部分がディスプレイパネル５０の縁の表示領域の一部分を隠した状態で配置される。ディスプレイパネル５０の一部分を隠すベーゼル部分の内側には、反射手段７１が設置され、前面ケース７０の側面には、所定幅を有する間接照明用開口部７２が形成されている。ディスプレイパネル５０のうち、ベーゼルにより隠された部分から放出される可視光線は、反射手段７１に反射にされ、間接照明用開口部７２を介してディスプレイ装置１００の周辺外郭部分を照らす。反射手段７１は、通常の鏡が使われ得る。
【００２２】
背面ケース７５は、前面ケース７０と共に前記ディスプレイモジュールを保護する機能を果たし、ディスプレイパネル５０や駆動回路基板４０上の素子が作動中に発生する熱が外部によく放出されるように、所定の放熱用開口部（図示せず）が形成されていることが好ましい。
【００２３】
このような構成を有するディスプレイ装置では、画面の最外郭部分に表示される画像がディスプレイ装置の外郭周辺に反射されることにより、ユーザの目の紅彩絞り作用による疲労感を和らげる。すなわち、ディスプレイ装置の側面から照らし出される間接照明が、画面が投射する光の強度を緩和させて紅彩の運動を減少させ、一層快適な視聴を可能にする。
【００２４】
図１では、１つの反射体だけを使用して反射手段を構成する場合を示しているが、光が反射される角度を調節するために、さらに多数の反射体を組み合わせて反射手段を構成することも可能である。
【００２５】
また、図１に示されているように、本発明は、実質的に四角形の形状を有するディスプレイ装置の四方向の縁付近に間接照明が照らし出されるように、反射手段と開口部とがその四方向のいずれにも設置することが可能である。また、ディスプレイ装置の外観が実質的に四角形でない他の形状を有する場合にも適用可能である。
【００２６】
また、従来は、間接照明を行う間接照明部１１（図３）がディスプレイ装置の外側に突出されて別途設置されるので、画像を映し出す機能とは別の部分が追加で必要であり、設置空間をさらに必要とするという短所があったが、本発明の場合には、外部に突出される部分が追加で必要ではないため、かかる短所を克服することができる。
【００２７】
次に、本発明の変形例を説明する。ディスプレイパネルのほとんどを占める表示領域の外郭周辺に間接照明用発光セルを追加で形成し、ディスプレイパネルの表示領域の最外郭と同じ信号を印加して同じ色相の画面を具現させる。この外郭周辺部分の間接照明用発光セルの光を反射手段を利用してディスプレイ装置の周辺に照らすことにより、ユーザの目の疲労を和らげる快適な視聴を可能にすることができる。このような構成では、表示領域の面積を縮めることがないので、さらに好ましい。
【００２８】
上記のように本発明は実施の形態によって記載したが、この開示の一部をなす論述及び図面はこの発明を限定するものであると理解すべきではない。本技術分野の当業者には、この開示から様々な代替実施の形態、実施例及び運用技術が明らかとなろう。従って、本発明の技術的保護範囲は、特許請求の範囲に係る発明特定事項によってのみ定められるものである。
【産業上の利用可能性】
【００２９】
本発明は、画像を表示するディスプレイ装置ならば、いかなるものにも適用可能であるが、特に、例えば壁掛け型ディスプレイ装置では、設置された壁面に間接照明を映し出すことにより、ユーザの目の疲労を更に低減させることができるので、更に効果的な適用が可能である。
【図面の簡単な説明】
【００３０】
【図１】本発明の実施の形態に係るディスプレイ装置の正面図である。
【図２】本発明の実施の形態に係るディスプレイ装置の構成を示す、図１のＩＩ−ＩＩ線に沿って切り取った断面図である。
【図３】従来のディスプレイ装置の一例を示す正面図である。
【符号の説明】
【００３１】
１０，１００    ディスプレイ装置
１１    間接照明部
１７，７０    前面ケース
４０    駆動回路基板
５０    ディスプレイパネル
７１    反射手段
７２    開口部
７５    背面ケース
【図１】
2006259667.tif 000003
【図２】
2006259667.tif 000004
【図３】
2006259667.tif 000005